(57)【要約】【課題】二次元ローカルディミングを簡素な構造で実現する。【解決手段】表示装置は、複数の第１光源と、複数の第２光源と、第１光源及び第２光源を制御可能な制御部と、第１光源から入射する光を第１光放射面から放射する第１導光板と、第１光放射面上に重ねて設けられて、第２光源及び第１導光板から入射する光を第２光放射面から放射する第２導光板と、第２光放射面からの光を受けて、画像を表示する表示パネルと、を備える。第１導光板は、第１光放射面と平行な第１方向に配列された複数の第１導光部材を有する。各々の第１導光部材には少なくとも１つの第１光源から光が入射する。第２導光板は、第２光放射面と平行且つ第１方向と交差する第２方向に配列された複数の第２導光部材を有する。各々の第２導光部材には少なくとも１つの第２光源から光が入射する。【選択図】図５
2018077263.tif 000002
【特許請求の範囲】
【請求項１】
複数の第１光源と、
複数の第２光源と、
前記第１光源及び前記第２光源を制御可能な制御部と、
前記第１光源から入射する光を第１光放射面から放射する第１導光板と、
前記第１光放射面上に重ねて設けられて、前記第２光源及び前記第１導光板から入射する光を第２光放射面から放射する第２導光板と、
前記第２光放射面からの光を受けて、画像を表示する表示パネルと、
を備え、
前記第１導光板は、前記第１光放射面と平行な第１方向に配列された複数の第１導光部材を有し、各々の前記第１導光部材には少なくとも１つの前記第１光源から光が入射し、
前記第２導光板は、前記第２光放射面と平行且つ前記第１方向と交差する第２方向に配列された複数の第２導光部材を有し、各々の前記第２導光部材には少なくとも１つの前記第２光源から光が入射することを特徴とする表示装置。
【請求項２】
前記制御部は、前記第１光源の各々と前記第２光源の各々とを独立して制御可能であることを特徴とする請求項１に記載の表示装置。
【請求項３】
前記第１導光部材において、少なくとも１つの前記第１光源が、前記第１光放射面と交差し且つ前記第１方向と平行な側面のうちの少なくとも１つに対向して設けられ、
前記第２導光部材において、少なくとも１つの前記第２光源が、前記第２光放射面と交差し且つ前記第２方向と平行な側面のうちの少なくとも１つに対向して設けられることを特徴とする請求項１または請求項２に記載の表示装置。
【請求項４】
前記第２光放射面に垂直な方向から見た平面視において、隣接する前記第１導光部材の端部同士、及び、隣接する前記第２導光部材の端部同士のうちの少なくとも一方が互いに重なり合うことを特徴とする請求項３に記載の表示装置。
【請求項５】
隣接する前記第１導光部材の端部間、及び、隣接する前記第２導光部材の端部間のうちの少なくとも一方から散乱光が放射されることを特徴とする請求項３又は請求項４に記載の表示装置。
【請求項６】
複数の前記第１導光部材及び複数の前記第２導光部材のうちの少なくとも一方は、材料、剛性、及び厚さのうちの少なくともいずれかが異なる複数種類の部材で構成されることを特徴とする請求項１〜請求項５のいずれかに記載の表示装置。
【請求項７】
前記第２導光部材は、所定色を有する導光部材で構成され、
前記第２光放射面に垂直な方向から見た平面視において、前記第１光源からの距離が遠くなるに従い、前記所定色の明度が低くなることを特徴とする請求項１〜請求項６のいずれかに記載の表示装置。
【請求項８】
前記第１導光部材及び前記第２導光部材には複数の光拡散部がそれぞれ設けられ、
前記第２光放射面に垂直な方向から見た平面視において、
前記第１導光部材に設けられた前記光拡散部の密度は、前記第２導光部材の前記第２方向における端部と重なる領域から遠くなるに従って低くなり、
前記第２導光部材に設けられた前記光拡散部の密度は、前記第１導光部材の前記第１方向における端部と重なる領域から遠くなるに従って低くなることを特徴とする請求項１〜請求項７のいずれかに記載の表示装置。
【請求項９】
前記第１導光部材及び前記第２導光部材には複数の光拡散部がそれぞれ設けられ、
前記第１導光部材に設けられた前記光拡散部の密度は、前記第１導光部材の前記第１方向における端部から遠くなるに従って低くなり、
前記第２導光部材に設けられた前記光拡散部の密度は、前記第２導光部材の前記第２方向における端部から遠くなるに従って低くなりことを特徴とする請求項１〜請求項７のいずれかに記載の表示装置。
【発明の詳細な説明】
【技術分野】
【０００１】
本発明は、表示装置に関する。
【背景技術】
【０００２】
近年、ローカルディミングによりコントラストを高めた液晶表示装置が知られている。ローカルディミングでは、表示画面全体を複数の領域に区分し、各領域に表示する映像の明るさに応じてバックライトモジュールの照射光の輝度を領域毎に調節する。たとえば、導光板と光源とを組み合わせた発光ユニットを表示画面と平行に二次元配置し、各発光ユニットで調光を行う。
【０００３】
なお、本発明に関連する従来技術の一例として、特許文献１は第１導光板、第２導光板、第１光源、及び第２光源を備えるバックライトユニットを教示している。第１導光板には、第１方向に沿って陰刻パターンラインが形成され、第１方向の導波チャンネルが複数定義される。第２導光板は、第１導光板の下に配置される。第２導光板には、第１導光板の陰刻パターンラインと交差する第２方向に沿って陰刻パターンラインが形成されて、第２方向の導波チャンネルが複数定義される。第１光源は、第１導光板の側面と対向するように配置され、第１方向の導波チャンネルに光を照射する。第２光源は、第２導光板の側面と対向するように配置され、第２方向の導波チャンネルに光を照射する。特許文献１では、各導光板で定義した複数の導波チャンネルを互いに交差させることにより、個別的に輝度が制御される複数の領域を定義して、ローカルディミングを行っている。
【先行技術文献】
【特許文献】
【０００４】
【特許文献１】特開２０１０−２４５０２３号公報
【発明の概要】
【発明が解決しようとする課題】
【０００５】
しかしながら、発光ユニットを二次元配置する構成では、発光ユニット毎に導光板、光源、ヒートシンクなどを設ける必要が生じる。そのため、表示装置の構造が複雑になるという問題があった。
【０００６】
また、特許文献１では、各導光板において、導波チャンネル間の境界は陰刻パターンラインでしか定義されていない。そのため、各導光板において、１つの導波チャンネルに照射した光は他の導波チャンネルにも広がって照射される恐れがある。従って、各導波チャンネルに照射される光出力をあまり個別的には制御できず、表示画面に定義された複数の領域の輝度も十分に個別的に制御できるとは言えない。このように、特許文献１では、十分に正確な二次元ローカルディミングができない恐れがある。
【０００７】
本発明は、このような状況を鑑みてなされたものであり、二次元ローカルディミングを簡素な構造で実現することができる表示装置を提供することを目的とする。
【課題を解決するための手段】
【０００８】
上記目的を達成するために、本発明の一の局面による表示装置は、複数の第１光源と、複数の第２光源と、第１光源及び第２光源を制御可能な制御部と、第１光源から入射する光を第１光放射面から放射する第１導光板と、第１光放射面上に重ねて設けられて、第２光源及び第１導光板から入射する光を第２光放射面から放射する第２導光板と、第２光放射面からの光を受けて、画像を表示する表示パネルと、を備え、第１導光板は、第１光放射面と平行な第１方向に配列された複数の第１導光部材を有し、各々の第１導光部材には少なくとも１つの第１光源から光が入射し、第２導光板は、第２光放射面と平行且つ第１方向と交差する第２方向に配列された複数の第２導光部材を有し、各々の第２導光部材には少なくとも１つの第２光源から光が入射する構成（第１の構成）とされる。
【０００９】
上記第１の構成によれば、第２光放射面に垂直な方向から見た平面視において、第１方向に配列された複数の第１導光部材が、第２方向に配列された複数の第２導光部材と交差して重なっている。従って、各第１導光部材に入射する光の輝度と、各第２導光部材に入射する光の輝度とをそれぞれ変化させることにより、第２光放射面から放射される光の輝度を部分的に変化させることができる。従って、表示装置において、二次元ローカルディミングを簡素な構造で実現することができる。
【００１０】
また、第１方向に配列された複数の第１導光部材と、第２方向に配列された複数の第２導光部材とを用いることにより、第１導光板及び第２導光板の取り扱いがし易くなる。また、第１導光部材又は第２導光部材に不良が発生しても、たとえば、不良部材を容易に交換できるので、製造時の歩留まりが良くなる。よって、表示装置の生産性を向上させることもできる。
【００１１】
また、上記第１の構成の表示装置は、複数の第１光源は、各々の第１導光部材に入射する光の輝度を異ならせることが可能であり、複数の第２光源は、各々の第２導光部材に入射する光の輝度を異ならせることが可能である構成（第２の構成）とされる。
【００１２】
上記第２の構成によれば、第２光放射面の各光放射領域から放射される光の輝度を部分的に調整できる。
【００１３】
また、上記第１又は第２の構成の表示装置は、第１導光部材において、少なくとも１つの第１光源が、第１光放射面と交差し且つ第１方向と平行な側面のうちの少なくとも１つに対向して設けられ、第２導光部材において、少なくとも１つの第２光源が、第２光放射面と交差し且つ第２方向と平行な側面のうちの少なくとも１つに対向して設けられる構成（第３の構成）とされる。
【００１４】
上記第３の構成によれば、第１光源及び第２光源をエッジライト方式で設けることにより、二次元ローカルディミングを実現できる。
【００１５】
また、上記第３の構成の表示装置は、第２光放射面に垂直な方向から見た平面視において、隣接する第１導光部材の端部同士、及び、隣接する第２導光部材の端部同士のうちの少なくとも一方が互いに重なり合う構成（第４の構成）とされる。
【００１６】
上記第４の構成によれば、隣接する第１導光部材の端部間、及び、隣接する第２導光部材の端部間からも、光が放射される。従って、上記平面視において、輝度不足に起因する第２光放射面での暗線の発生を軽減又は防止できる。
【００１７】
また、上記第３又は第４の構成の表示装置は、隣接する第１導光部材の端部間、及び、隣接する第２導光部材の端部間のうちの少なくとも一方から散乱光が放射される構成（第５の構成）とされる。
【００１８】
上記第５の構成によれば、第１導光部材の端部近傍での輝度不足、及び／又は、第２導光部材の端部近傍での輝度不足を散乱光で補うことができる。従って、上述の様な輝度不足に起因する第２光放射面での暗線の発生を軽減又は防止して、第２光放射面から放射される光の輝度分布を均一に近づけることができる。
【００１９】
また、上記第１〜第５のいずれかの構成の表示装置は、複数の第１導光部材及び複数の第２導光部材のうちの少なくとも一方は、材料、剛性、及び厚さのうちの少なくともいずれかが異なる複数種類の部材で構成される構成（第６の構成）とされる。
【００２０】
上記第６の構成によれば、製造コストの増加を抑制しつつ、第１導光板上に第２導光板を重ねた導光板の剛性を向上させることができる。
【００２１】
また、上記第１〜第６のいずれかの構成の表示装置は、第２導光部材は、所定色を有する導光部材で構成され、第２光放射面に垂直な方向から見た平面視において、第１光源からの距離が遠くなるに従い、所定色の明度が低くなる構成（第７の構成）とされる。
【００２２】
上記第７の構成によれば、第１導光部材から放射される光に色シフトが発生しても、第２導光部材が所定色（たとえば色シフトを補正する補色）を有する導光部材で構成することによって、光の色シフトを軽減又は防止できる。従って、導光部材から放射される光の変色を抑制又は防止できる。
【００２３】
また、上記第１〜第７のいずれかの構成の表示装置は、第１導光部材及び第２導光部材には複数の光拡散部がそれぞれ設けられ、第２光放射面に垂直な方向から見た平面視において、第１導光部材に設けられた光拡散部の密度は、第２導光部材の第２方向における端部と重なる領域から遠くなるに従って低くなり、第２導光部材に設けられた光拡散部の密度は、第１導光部材の第１方向における端部と重なる領域から遠くなるに従って低くなる構成（第８の構成）とされる。
【００２４】
上記第８の構成によれば、第１導光部材から放射される光の輝度は、第２光放射面に垂直な方向から見た平面視において、第２導光部材の第２方向における端部と重なる領域から遠くなるに従って低くなる。また、第２導光部材から放射される光の輝度は、第２光放射面に垂直な方向から見た平面視において、第１導光部材の第１方向における端部と重なる領域から遠くなるに従って低くなる。従って、第１導光部材の第１方向における端部近傍から放射される光の輝度不足と、第２導光部材の第２方向における端部近傍から放射される光の輝度不足とに起因する第２光放射面での暗線の発生を軽減又は防止できる。従って、第２光放射面から放射される光の輝度分布をより均一にすることができる。
【００２５】
或いは、上記第１〜第７のいずれかの構成の表示装置は、第１導光部材及び第２導光部材には複数の光拡散部がそれぞれ設けられ、第１導光部材に設けられた光拡散部の密度は、第１導光部材の第１方向における端部から遠くなるに従って低くなり、第２導光部材に設けられた光拡散部の密度は、第２導光部材の第２方向における端部から遠くなるに従って低くなる構成（第９の構成）とされる。
【００２６】
上記第９の構成によれば、第１導光部材から放射される光の輝度は、第１導光部材の第１方向における端部から遠くなるに従って低くなる。また、第２導光部材から放射される光の輝度は、第２導光部材の第１方向における端部から遠くなるに従って低くなる。従って、第１導光部材の第１方向における端部近傍から放射される光の輝度不足と、第２導光部材の第２方向における端部近傍から放射される光の輝度不足とに起因する第２光放射面での暗線の発生を軽減又は防止できる。従って、第２光放射面から放射される光の輝度分布をより均一にすることができる。
【発明の効果】
【００２７】
本発明によれば、二次元ローカルディミングを簡素な構造で実現することができる表示装置を提供することができる。
【図面の簡単な説明】
【００２８】
【図１】液晶表示装置の一例を示す外観斜視図である。
【図２】液晶表示装置の構成例を示す縦断面図である。
【図３】回路ユニットの構成例を示すブロック図である。
【図４】第１実施形態に係る導光板の構成例を示す上面図である。
【図５】第１実施形態に係る導光板の構成例を示す分解斜視図である。
【図６Ａ】第１導光板の断面形状の一例である。
【図６Ｂ】第１導光板の断面形状の他の一例である。
【図６Ｃ】第１導光板の断面形状の他の一例である。
【図６Ｄ】第１導光板の断面形状の他の一例である。
【図６Ｅ】第１導光板の断面形状の他の一例である。
【図６Ｆ】第１導光板の断面形状の他の一例である。
【図６Ｇ】第１導光板の断面形状の他の一例である。
【図７】第１実施形態の第１変形例に係る導光板の構成例を示す上面図である。
【図８】第１実施形態の第２変形例に係る導光板の構成例を示す上面図である。
【図９】第１実施形態の第３変形例に係る導光板の構成例を示す上面図である。
【図１０】第２実施形態に係る導光板の構成例を示す上面図である。
【図１１】第２実施形態に係る導光板の構成例を示す分解斜視図である。
【図１２】第３実施形態に係る導光板の構成例を示す上面図である。
【図１３】第３実施形態に係る導光板の構成例を示す分解斜視図である。
【図１４】第４実施形態に係る導光板の構成例を示す分解斜視図である。
【図１５Ａ】第４実施形態に係る第１導光板から放射される光の輝度分布の一例を示す上面図である。
【図１５Ｂ】第４実施形態に係る第２導光板から放射される光の輝度分布の一例を示す上面図である。
【図１６】第５実施形態に係る導光板の構成例を示す分解斜視図である。
【図１７Ａ】第５実施形態に係る第１導光板から放射される光の輝度分布の一例を示す上面図である。
【図１７Ｂ】第５実施形態に係る第２導光板から放射される光の輝度分布の一例を示す上面図である。
【発明を実施するための形態】
【００２９】
以下に、図面を参照し、本発明の実施形態について、液晶表示装置１００を例に挙げて説明する。なお、以下では、液晶表示装置１００の映像が表示される側を「前方」と呼び、その反対側を「後方」とよぶ。また、各構成要素において、前方を向く面を「前面」と呼び、「後方」を向く面を「背面」と呼ぶ。また、前方と垂直な方向を「Ｘ方向」及び「Ｙ方向」と呼び、前方と平行な方向を「Ｚ方向」と呼ぶ。Ｘ方向、Ｙ方向、及びＺ方向は互いに直交する。
【００３０】
＜第１実施形態＞
図１は、液晶表示装置１００の一例を示す外観斜視図である。図２は、液晶表示装置１００の構成例を示す縦断面図である。なお、図２は、図１の一点鎖線Ａ−Ａに沿う断面を示している。
【００３１】
液晶表示装置１００は、エッジライト方式のバックライトモジュール１０１と、液晶表示パネル１０２と、回路ユニット１０３と、スピーカ１０４と、キャビネット１０５と、を有している。
【００３２】
バックライトモジュール１０１は、液晶表示パネル１０２の後方に配置された照明装置であり、所定の映像を表示させるための光を液晶表示パネル１０２に照射する。バックライトモジュール１０１は、導光板１と、反射板３と、光拡散部材４と、フレーム５と、光源部６と、を備えている。
【００３３】
導光板１は、光源部６から出力された光を液晶表示パネル１０２に向かって放射する。導光板１は、第１導光板１１と、第２導光板１２と、を有する。第２導光板１２は第１導光板１１の前面１１ａに重ねて設けられている。なお、図２に示すように、導光板１の前面１２ａは第２導光板１２の前面１２ａであり、導光板１の背面１１ｃは第１導光板１１の背面１１ｃである。
【００３４】
第１導光板１１の側面１１ｂには、光源部６の後述するＬＥＤ６１ａから出力された光が入射する。また、第１導光板１１の背面１１ｃには、ドットパターン（不図示）が加工或いは印刷によって設けられている。このドットパターンは入射光を拡散及び反射する複数の光拡散部（たとえば凸部）で構成される。第１導光板１１において、側面１１ｂに入射した光は、ドットパターンで拡散及び反射され、前面１１ａから放射される。
【００３５】
第２導光板１２の側面１２ｂには、光源部６の後述するＬＥＤ６１ｂから出力された光が入射する。第２導光板１２の背面１２ｃには、第１導光板１１の前面１１ａから放射された光が入射する。第２導光板１２は、側面１２ｂ及び背面１２ｃから入射した光を前面１２ａから放射する。なお、以下では、第１導光板１１の前面１１ａを光放射面１１ａと呼び、第２導光板１２の前面１２ａを光放射面１２ａと呼ぶ。
【００３６】
第１導光板１１及び第２導光板１２の具体的な構成は後に説明する。
【００３７】
反射板３は、導光板１の背面１１ｃに配置され、導光板１の背面１１ｃから出射される光を反射して導光板１に再び入射させる。反射板３を備えていることで、導光板１の背面１１ｃから漏れる光を再度利用することができる。従ってバックライトユニット１０１の光量の減少を抑制することができる。
【００３８】
光拡散部材４は、導光板１の前面１２ａに貼り付けられた光学部材である。本発明の趣旨から外れるためにここではその構成を詳述しないが、光拡散部材４は、たとえば、複数の光拡散シートと、光拡散シート間に配置されるレンズシートと、を含む複数の光学シート群で構成されている。導光板１の前面１２ａから放射された光は、光拡散部材４を通過する際に拡散され、面内での光量が一定の範囲内に揃えられて、面発光の照明光として液晶表示パネル１０２に照射される。
【００３９】
フレーム５は、たとえば樹脂材料又は金属部材を用いて設けられた枠部材であり、光拡散部材４から出射される光を遮らないように、液晶表示装置１００の後方から前方に向かって反射板３、導光板１、及び光拡散部材４を順に挟持する。フレーム５は、フロントフレーム５１と、リアフレーム５２と、を含む。フロントフレーム５１は、光拡散部材４の前面の周縁に配置される枠体であり、枠形状の内側に窓部５１ａを有する。光拡散部材４を通過した光は窓部５１ａを通じて液晶表示パネル１０２に照射される。リアフレーム５２は、反射板３、導光板１、及び光拡散部材４の側周縁と反射板３の背面の周縁とを取り囲むように配置された枠体である。
【００４０】
光源部６は、２つのＬＥＤ（Light emitting Diode）ユニット６ａ、６ｂを含む光源装置である。ＬＥＤユニット６ａは、第１導光板１１の側面１１ｂに対向して配置された光源ユニットであり、複数のＬＥＤ６１ａとヒートシンク６３ａとを有する。ＬＥＤユニット６ｂは、第２導光板１２の側面１２ｂに対向して配置された光源ユニットであり、複数のＬＥＤ６１ｂとヒートシンク６３ｂとを有する。複数のＬＥＤ６１ａ、６１ｂはそれぞれ、たとえば白色光を出射する光源である。複数のＬＥＤ６１ａ、６１ｂは、回路ユニット１０３から延びた配線（不図示）と電気的に接続され、回路ユニット１０３から供給される駆動電流に応じて発光する。ヒートシンク６３ａ、６３ｂはそれぞれ、複数のＬＥＤ６１ａ、６１ｂが実装される放熱基板である。
【００４１】
液晶表示パネル１０２は、回路ユニット１０３から出力される映像信号に基づく所定の映像を表示する表示部であり、バックライトモジュール１０１から照射される光を用いて表示画面Ｓに所定の映像を表示する。具体的には、液晶表示パネル１０２は、第２導光板１２の光放射面１２ａからの光を受けて、画像を表示する。液晶表示パネル１０２の詳細な構成は本発明の趣旨から外れるためにここでは説明しないが、液晶表示パネル１０２は、たとえば第１偏光板、ガラス基板、カラーフィルター、液晶層、第２偏光板、及び駆動モジュールなどを含む（いずれも不図示）。
【００４２】
スピーカ１０４は、回路ユニット１０３から出力される音声信号に基づいて音声出力を行う音声出力ユニットである。
【００４３】
キャビネット１０５は、液晶表示装置１００の筐体であり、たとえば樹脂材料を用いて設けられている。キャビネット１０５は、バックライトモジュール１０１、液晶表示パネル１０２、回路ユニット１０３、及びスピーカ１０４などを内部に収容する。キャビネット１０５は、フロントキャビネット１０５ａと、リアキャビネット１０５ｂと、を有する。フロントキャビネット１０５ａは、リアキャビネット１０５ｂに被せる矩形の枠体であり、バックライトモジュール１０１及び液晶表示パネル１０２の側周縁を取り囲むように配置されている。フロントキャビネット１０５ａは、液晶表示パネル１０２の映像表示領域（すなわち表示画面Ｓ）を視認可能にする窓部１０５ｃを枠形状の内側に有する。リアキャビネット１０５ｂは、前方が開いた箱体であり、その内部にバックライトモジュール１０１及び回路ユニット１０３などを収容している。リアキャビネット１０５ｂの前方は、フロントキャビネット１０５ａに嵌め込まれる。そして、フロントキャビネット１０５ａ及びリアキャビネット１０５ｂはバックライトモジュール１０１及び液晶表示パネル１０２を挟持する。
【００４４】
次に、図３を参照して、回路ユニット１０３の構成を説明する。図３は、回路ユニット１０３の構成例を示すブロック図である。図３に示すように、回路ユニット１０３は、メモリ１０３ａと、入出力Ｉ／Ｆ１０３ｂと、コントローラ１０３ｃと、ＬＥＤドライバＩＣ１０３ｄと、電源供給部１０３ｅと、を備えている。
【００４５】
メモリ１０３ａは、不揮発性の記録媒体であり、回路ユニット１０３の各部に用いられるプログラム及び制御情報などを有している。また、入出力Ｉ／Ｆ１０３ｂは、回路ユニット１０３の外部とデータの送受信を行う通信インターフェースである。入出力Ｉ／Ｆ１０３ｂは、たとえば液晶表示装置１００のチューナ部（不図示）などから入力される映像音声信号をコントローラ１０３ｃに伝送する。
【００４６】
コントローラ１０３ｃは、メモリ１０３ａに格納されたプログラム及び制御情報などを用いて、液晶表示装置１００の各部を制御している。たとえば、コントローラ１０３ｃは、光源部６、液晶表示パネル１０２、及び回路ユニット１０３の各部などを制御している。また、コントローラ１０３ｃは信号処理部１０３ｆを含んで構成されている。
【００４７】
信号処理部１０３ｆは、たとえば入出力Ｉ／Ｆ１０３ｂから入力される映像音声信号に基づいて、光源部６の発光駆動制御を行う光制御信号と、液晶表示パネル１０２に映像を表示させる映像信号と、スピーカ１０４から音声を出力させる音声出力信号と、を生成する。光制御信号はＬＥＤドライバＩＣ１０３ｄに伝送される。映像信号は入出力Ｉ／Ｆ１０３ｂを介して液晶表示パネル１０２に伝送される。音声出力信号はスピーカ１０５に伝送される。
【００４８】
ＬＥＤドライバＩＣ１０３ｄは、光源部６を制御する制御部であり、信号処理部１０３ｆから入力される光制御信号に基づいて、ＬＥＤ６１ａ、６１ｂの光出力を制御する。ＬＥＤドライバＩＣ１０３ｄは、特に、複数のＬＥＤ６１ａの各々と、複数のＬＥＤ６１ｂの各々とを独立して制御可能である。
【００４９】
電源供給部１０３ｅは、たとえば液晶表示装置１００の電源部（不図示）などから電力の供給を受け、回路ユニット１０３の各部（特にＬＥＤドライバＩＣ１０３ｄ）に電力を供給している。
【００５０】
次に、第１導光板１１及び第２導光板１２の具体的な構成を説明する。図４は、第１実施形態に係る導光板１の構成例を示す上面図である。図５は、第１実施形態に係る導光板１の構成例を示す分解斜視図である。図６Ａ〜図６Ｇは、第１導光板１１の断面形状の構成例である。なお、図６Ａ〜図６Ｇは、図４の一点鎖線Ｂ−Ｂに沿う第１導光板１１の断面を示している。
【００５１】
導光板１は、前述のように、第１導光板１１と第２導光板１２とを有する。第１導光板１１は、光放射面１１ａと平行なＸ方向に配列された３つの第１導光部材１１１〜１１３で構成されている。第２導光板１２は、光放射面１２ａと平行且つＸ方向と交差するＹ方向に配列された３つの第２導光部材１２１〜１２３で構成されている。以下では、各第１導光部材１１１〜１１３を総称して第１導光部材１１１と呼ぶことがあり、各第２導光部材１２１〜１２３を総称して第１導光部材１２１と呼ぶことがある。また、本実施形態の例示に限定されず、第１導光板１１を構成する第１導光部材１１１の数、及び第２導光板１２を構成する第２導光部材１２１の数はそれぞれ、３以外の複数であってもよい。これらのことは、他の実施形態でも同様である。
【００５２】
第１導光板１１は、隣接する第１導光部材１１１間に寸法公差などに起因するクリアランスを有する。同様に、第２導光板１２は、隣接する第２導光部材１２１間に寸法公差に起因するクリアランスを有する。そのため、高温環境下でも、第１導光部材１１１の短手方向及び第２導光部材１２１の短手方向における熱膨張は上記クリアランスで吸収される。従って、高温環境下でも、第１導光板１１及び第２導光板１１のサイズ変化は防止される。
【００５３】
第１導光部材１１１及び第２導光部材１２１はそれぞれ、Ｚ方向から見た平面形状が長方形の板状部材であり、たとえばアクリル、メタクリレートスチレンなどの透明な板部材を用いて設けられている。第１導光部材１１１の長手方向（図４ではＸ方向）において、各第１導光部材１１１の長さは第２導光板１２の長さよりも長くなっている。また、第２導光部材１２１の長手方向（図４ではＹ方向）において、各第２導光部材１２１の長さは第１導光板１１の長さよりも長くなっている。
【００５４】
第１導光部材１１１のＸ−Ｚ断面の形状は、図６Ａに示すように矩形であるが、この例示に限定されない。第１導光部材１１１の断面形状は、好ましくは、光放射面１２ａに垂直なＺ方向から見た平面視において隣接する第１導光部材１１１の端部Ｅ１同士が互いに重なり合う形状とされる。また、各第１導光部材１１１の断面形状は、好ましくは、隣接する第１導光部材１１の端部Ｅ１間から散乱光が放射される形状とされる。たとえば、各第１導光部材１１１の断面形状は平行四辺形（図６Ｂ）であってもよい。或いは、該断面形状は、Ｘ方向において一方の端部Ｅ１は角が突き出た凸部であり且つ他方の端部Ｅ１は角が引き込まれた凹部である形状（たとえば図６Ｃのような矢印形状）であってもよい。或いは、該断面形状は、矩形において（＋Ｚ）方向側の２つの稜角がＣ面取りされた台形状（たとえば図６Ｄ）であってもよい。或いは、該断面形状は、Ｘ方向における両端部Ｅ１が円弧状に突き出た凸部である形状（図６Ｅ）であってもよい。或いは、該断面形状は、Ｘ方向において一方の端部Ｅ１が円弧状に突き出た凸部であり且つ他方の端部Ｅ１が円弧状に引き込まれた凹部である形状（図６Ｆ）であってもよい。或いは、該断面形状は、両端部Ｅ１に段差が設けられ且つ隣接する第１導光部材１１の段差同士が互いに重なり合う形状（たとえば図６Ｇ）であってもよい。ここで、図６Ｇにおいて、一方の端部Ｅ１の段差の厚さｄ１と他方の端部Ｅ１の段差の厚さｄ２とは同じであってもよいし異なっていてもよい。
【００５５】
なお、各第２導光部材１２１のＸ−Ｚ断面の形状も各第１導光部材１１１の断面形状と同様にすることができる。そのため、その説明は省略する
【００５６】
次に、図４に示すように、第１導光部材１１１〜１１３の長手方向における一方の側面１１１ａ〜１１３ａにはそれぞれ、２つのＬＥＤ６１ａが対向して配置されている。また、第２導光部材１２１〜１２３の長手方向における一方の側面１２１ａ〜１２３ａには、２つのＬＥＤ６１ｂが対向して配置されている。以下では、各側面１１１ａ〜１１３ａに対向して配置されたＬＥＤ６１ａをそれぞれ、光出力チャンネルＣｈ＿Ｘ１、Ｃｈ＿Ｘ２、Ｃｈ＿Ｘ３と呼ぶ。また、各側面１２１ａ〜１２３ａに対向して配置されたＬＥＤ６１ｂをそれぞれ、光出力チャンネルＣｈ＿Ｙ１、Ｃｈ＿Ｙ２、Ｃｈ＿Ｙ３と呼ぶ。また、以下では、光出力チャンネルＣｈ＿Ｘ１、Ｃｈ＿Ｘ２、Ｃｈ＿Ｘ３を総称してＣｈ＿Ｘ１と呼び、光出力チャンネルＣｈ＿Ｙ１、Ｃｈ＿Ｙ２、Ｃｈ＿Ｙ３を総称してＣｈ＿Ｙ１と呼ぶことがある。
【００５７】
各光出力チャンネルＣｈ＿Ｘ１、Ｃｈ＿Ｙ１は、ＬＥＤドライバＩＣ１０３ｄにより、個別に制御可能である。こうすれば、ＬＥＤ６１ａから第１導光部材１１１〜１１３に入射する光、及びＬＥＤ６１ｂから第２導光部材１２１〜１２３に入射する光を個別に調整することができる。すなわち、複数のＬＥＤ６１ａは各々の第１導光部材１１１〜１１３に入射する光の輝度を異ならせることが可能であり、複数のＬＥＤ６１ｂは各々の第２導光部材１２１〜１２３に入射する光の輝度を異ならせることが可能である。
【００５８】
なお、各側面１１１ａ〜１１３ｂに対向して配置されるＬＥＤ６１ａの数と、各側面１２１ｂ〜１２３ｂに対向して配置されるＬＥＤ６１ｂの数とはそれぞれ、本実施形態の例示に限定されず、少なくとも１つであればよく、すなわち１つであってもよいし３以上であってもよい。また、以下では、第１導光部材１１１〜１１３の側面１１１ａ〜１１３ａを総称して側面１１１ａと呼ぶことがある。また、第２導光部材１２１〜１２３の側面１２１ａ〜１２３ａを総称して側面１２１ａと呼ぶことがある。これらは、他の実施形態でも同様である。
【００５９】
また、図４及び図５に示すように、導光板１の光放射面１２ａ（すなわち第２導光板１２の光放射面１２ａ）は、第１導光板１１と第２導光板１２との重ね合わせにより、放射される光の輝度が可変な９つの領域Ａ〜Ｉに区分される。以下では、これらの領域Ａ〜Ｉを光放射領域Ａ〜Ｉと呼ぶ。光放射面１２ａに垂直な方向から見た平面視において、各光放射領域Ａ〜Ｉでは、３つの第１導光部材１１１〜１１３のうちの１つが３つの第２導光部材１２１〜１２３のうちの１つと重なっている。そのため、ＬＥＤドライバＩＣ１０３ｄは、重なり合う第１導光部材１１１及び第２導光部材１２１にそれぞれ光を出力する複数の光出力チャンネルＣｈ＿Ｘ１、Ｃｈ＿Ｙ１の光出力を制御することにより、二次元ローカルディミング、すなわち各光放射領域Ａ〜Ｉから放射される光の輝度の調整を実現することができる。
【００６０】
たとえば、図４での上記平面視において、光放射領域Ａでは、左側の第１導光部材１１１と上段の第２導光部材１２１とが重なっている。従って、光出力チャンネルＣｈ＿Ｘ１の光出力と光出力チャンネルＣｈ＿Ｙ１の光出力とを制御することにより、光放射領域Ａから放射される光の輝度が調整できる。他の光放射領域Ｂ〜Ｉから放射される光の輝度も同様に調整できる。
【００６１】
また、光放射領域Ｅ以外の光放射領域Ａ〜Ｄ及びＦ〜Ｉから放射される光の輝度を下げる場合、光出力チャンネルＣｈ＿Ｘ１及びＣＨ＿Ｘ３の光出力と光出力チャンネルＣｈ＿Ｙ１及びＣｈ＿Ｙ３の光出力とを低減する。こうすれば、光放射領域Ｅから放射される光の輝度を保ったまま、他の光放射領域Ａ〜Ｄ及びＦ〜Ｉから放射される光の輝度をそれぞれ低減できる。
【００６２】
なお、本実施形態では、１つの第１導光部材１１１の側面１１１ａに１つの光出力チャンネルＣｈ＿Ｘ１が設けられ、１つの第２導光部材１２１の側面１２１ａに１つの光出力チャンネルＣｈ＿Ｙ１が設けられている。ただし、これらの例示に限定されず、各側面１１１ａには複数の光出力チャンネルＣｈ＿Ｘｎ（ｎは１以上の自然数）が設けられ、各側面１２１ａには複数の光出力チャンネルＣｈ＿Ｙｍ（ｍは１以上の自然数）が設けられてもよい。言い換えると、第１導光板１１の側面１１ａには、第１導光部材１１１の数以上の光出力チャンネルＣｈ＿Ｘｎが設けられていてもよい。同様に、第２導光板１２の側面１２ａには、第２導光部材１２１の数以上の光出力チャンネルＣｈ＿Ｙｍが設けられていてもよい。
【００６３】
＜第１実施形態の第１変形例＞
次に、第１実施形態の第１変形例を説明する。図７は、第１実施形態の第１変形例に係る導光板１の構成例を示す上面図である。図７では、各第１導光部材１１１の長手方向において対向する側面１１１ａ、１１１ｂの両方に、ＬＥＤ６１ａが対向配置される。さらに、各第２導光部材１２１の長手方向において対向する側面１２１ａ、１２１ｂの両方に、ＬＥＤ６１ｂが対向配置される。なお、図７の例示に限定されず、側面１１１ａ、１１１ｂの両方にＬＥＤ６１ａが対向配置される構成と、側面１２１ａ、１２１ｂの両方にＬＥＤ６１ｂが対向配置される構成のうちの一方が採用されてもよい。
【００６４】
＜第１実施形態の第２変形例＞
次に、第１実施形態の第２変形例を説明する。複数の第１導光部材１１１及び複数の第２導光部材１２１のうちの少なくともいずれかの平面形状は矩形以外の形状であってもよい。図８は、第１実施形態の第２変形例に係る導光板１の構成例を示す上面図である。図８が例示する構成では、第１導光部材１１１〜１１４及び第２導光部材１２１〜１２４の平面形状がいずれも、長手方向及び短手方向を有する台形状である。また、各第１導光部材１１１の一方の側面１１１ａにはＬＥＤ６１ａが対向配置され、各第２導光部材１２１の一方の側面１２１ａにはＬＥＤ６１ｂが対向配置されている。言い換えると、第１導光板１１の一方の側面１１ｂにＬＥＤ６１ａが対向配置され、第２導光板１２の一方の側面１２ｂにＬＥＤ６１ｂが対向配置されている。
【００６５】
＜第１実施形態の第３変形例＞
次に、第１実施形態の第３変形例を説明する。図９は、第１実施形態の第３変形例に係る導光板１の構成例を示す上面図である。図９が例示する構成では、第１導光部材１１１〜１１８及び第２導光部材１２１〜１２５の平面形状は、いずれも長手方向及び短手方向を有する三角形状である。また、第１導光板１１の対向する側面１１ａ、１１ｂの両方にＬＥＤ６１ａが対向配置されている。また、第２導光板１２の対向する側面１２ａ、１２ｂの両方にＬＥＤ６１ｂが対向配置されている。なお、図９の例示に限定されず、各第１導光部材１１１が長手方向において対向する２つの側面１１１ａ、１１１ｂを有する形状である場合、側面１１１ａ、１１１ｂの両方にＬＥＤ６１ａが対向配置されてもよいことは言うまでもない。各第２導光部材１２１でも同様である。
【００６６】
以上、第１実施形態について説明した。第１実施形態によれば、表示装置１００は、複数の第１光源６１ａ（第１光源）と、複数の第２光源６１ｂ（第２光源）と、第１光源６１ａ及び第２光源６１ｂを制御可能な制御部１０３ｄと、ＬＥＤ６１ａから入射する光を光放射面１１ａ（第１光放射面）から放射する第１導光板１１と、前面１１ａ上に重ねて設けられて、複数のＬＥＤ６１ｂ及び第１導光板１１から入射する光を第２光放射面１２ａ（第２光放射面）から放射する第２導光板１２と、第２光放射面１２ａからの光を受けて、画像を表示する表示パネル１０２と、を備える。第１導光板１１は、光放射面１１ａと平行なＸ方向（第１方向）に配列された複数の第１導光部材１１１を有する。各々の第１導光部材１１１には少なくとも１つのＬＥＤ６１ａから光が入射する。第２導光板１２は、光放射面１２ａと平行且つＸ方向と交差するＹ方向（第２方向）に配列された複数の第２導光部材１２１を有する。各々の第２導光部材１２１には少なくとも１つのＬＥＤ６１ｂから光が入射する。
【００６７】
この構成によれば、光放射面１２ａに垂直なＺ方向から見た平面視において、Ｘ方向に配列された複数の第１導光部材１１１〜１１３が、Ｙ方向に配列された複数の第２導光部材１２１〜１２３と交差して重なっている。従って、各第１導光部材１１１〜１１３に入射する光の輝度と、各第２導光部材１２１〜１２３に入射する光の輝度とをそれぞれ変化させることにより、光放射面１２ａから放射される光の輝度を部分的に変化させることができる。従って、表示装置１００において、二次元ローカルディミングを簡素な構造で実現することができる。
【００６８】
また、Ｘ方向に配列された複数の第１導光部材１１１〜１１３と、Ｙ方向に配列された複数の第２導光部材１２１〜１２３とを用いることにより、第１導光板１１及び第２導光板１１の取り扱いがし易くなる。また、第１導光部材１１１〜１１３又は第２導光部材１２１〜１２３に不良が発生しても、たとえば、不良部材を容易に交換できるので、製造時の歩留まりが良くなる。よって、表示装置１００の生産性を向上させることもできる。
【００６９】
また、複数のＬＥＤ６１ａは、各々の第１導光部材１１１〜１１３に入射する光の輝度を異ならせることが可能である。また、複数のＬＥＤ６１ｂは、各々の第２導光部材１２１〜１２３に入射する光の輝度を異ならせることが可能である。
【００７０】
この構成によれば、光放射面１２ａの各光放射領域Ａ〜Ｉから放射される光の輝度を部分的に調整できる。
【００７１】
また、第１導光部材１１１〜１１３において、少なくとも１つのＬＥＤ６１ａが、光放射面１１ａと交差し且つＸ方向と平行な側面１１１ａ、１１１ｂのうちの少なくとも１つに対向して設けられる。第２導光部材１２１〜１２３において、少なくとも１つのＬＥＤ６１ｂが、光放射面１２ａと交差し且つＹ方向と平行な側面１２１ａ、１２１ｂのうちの少なくとも１つに対向して設けられる。
【００７２】
この構成によれば、第１光源６１ａ及び第２光源６１ｂをエッジライト方式で設けることにより、二次元ローカルディミングを実現できる。
【００７３】
また、光放射面１２ａに垂直なＺ方向から見た平面視において、隣接する第１導光部材１１１の端部Ｅ１同士、及び、隣接する第２導光部材１２１の端部Ｅ２同士のうちの少なくとも一方が互いに重なり合う。
【００７４】
この構成によれば、隣接する第１導光部材１１１の端部Ｅ１間、及び、隣接する第２導光部材１２１の端部Ｅ２間からも、光が放射される。従って、上記平面視において、輝度不足に起因する光放射面１２ａでの暗線の発生を軽減又は防止できる。
【００７５】
また、隣接する第１導光部材１１１の端部Ｅ１間、及び、隣接する第２導光部材１２１の端部Ｅ２間のうちの少なくとも一方から散乱光が放射される。
【００７６】
この構成によれば、第１導光部材１１１の端部Ｅ１近傍での輝度不足を該端部Ｅ１間から放射される散乱光で補うことができ、及び／又は、第２導光部材１２１の端部Ｅ２近傍での輝度不足を該端部Ｅ２間から放射される散乱光で補うことができる。従って、上述の様な輝度不足に起因する光放射面１２ａでの暗線の発生を軽減又は防止できる。
【００７７】
＜第２実施形態＞
次に、第２実施形態について説明する。第２実施形態では、複数の第２導光部材１２１は材料、剛性、及び厚さのうちの少なくともいずれかが異なる複数種類の部材で構成される。以下では、第２実施形態について、第１実施形態と異なる事項について説明する。また、第１実施形態と同じ構成には同じ符号を付し、その説明を省略することがある。
【００７８】
図１０は、第２実施形態に係る導光板１の構成例を示す上面図である。図１１は、第２実施形態に係る導光板１の構成例を示す分解斜視図である。図１０及び図１１に示すように、第１導光板１１は７つの第１導光部材１１１〜１１７で構成され、第２導光板１２は７つの第２導光部材１２１〜１２７で構成されている。第１導光部材１１１〜１１７の長手方向における一方の側面１１１ａにはそれぞれ、１つのＬＥＤ６１ａ（すなわち、光出力チャンネルＣｈ＿Ｘ１〜Ｃｈ＿Ｘ７）が対向して配置されている。また、第２導光部材１２１〜１２７の長手方向における一方の側面１２１ａにはそれぞれ、１つのＬＥＤ６１ｂ（すなわち、光出力チャンネルＣｈ＿Ｙ１〜Ｃｈ＿Ｙ７）が対向して配置されている。
【００７９】
図１０及び図１１において、７つの第２導光部材１２１〜１２７のうちの上から１段目、４段目、及び７段目の第２導光部材１２１、１２４、１２７はそれぞれ、他の第２導光部材１２２、１２３、１２５、１２６（すなわち上から２段目、３段目、５段目、及び６段目）と比べて、剛性が高い透明な材料（たとえばガラス）を用いて設けられている。さらに、第２導光部材１２１、１２４、１２７の厚さはそれぞれ、他の第２導光部材１２２、１２３、１２５、１２６よりも厚くなっている。
【００８０】
このように一部の第２導光部材１２１、１２４、１２７に高い剛性の材料を用い且つそれらの厚さを厚くすることにより、導光板１の長手方向の剛性を向上させることができる。さらに、残りの一部の第２導光部材１２２、１２３、１２５、１２６に比較的安価な材料（たとえばアクリル、メタクリレートスチレンなどの透明樹脂材料）を用い且つそれらの厚さを比較的に薄くすることにより、製造コストの増加を抑制できる。
【００８１】
なお、本実施形態では、第２導光部材１２１、１２４、１２７では、他の第２導光部材１２２、１２３、１２５、１２６に対して、材料、剛性、及び厚さが異なっているが、この例示に限定されない。材料、剛性、及び厚さのうちの少なくともいずれかが異なっていてもよい。
【００８２】
また、本実施形態では、７つの第２導光部材１２１が上述のような２種類の部材で構成されているが、この例示に限定されず、７つの第２導光部材１２１が３種類以上の部材で構成されてもよい。或いは、７つの第１導光部材１１１と７つの第２導光部材１２１の両方が上述のような複数種類の部材で構成されてもよい。
【００８３】
以上、第２実施形態について説明した。第２実施形態によれば、複数の第１導光部材１１１及び複数の第２導光部材１２１のうちの少なくとも一方は、材料、剛性、及び厚さのうちの少なくともいずれかが異なる複数種類の部材で構成される。
【００８４】
この構成によれば、製造コストの増加を抑制しつつ、第１導光板１１上に第２導光板１２を重ねた導光板１の剛性を向上させることができる。
【００８５】
＜第３実施形態＞
次に、第３実施形態について説明する。第３実施形態では、第２導光部材１２１は、所定色を有する有色導光部材で構成される。さらに、ＬＥＤ６１ａからの距離が遠くなるに従い、有色導光部材の所定色の明度が低くなる。以下では、第３実施形態について、第１及び第２実施形態と異なる事項について説明する。また、第１及び第２実施形態と同じ構成には同じ符号を付し、その説明を省略することがある。
【００８６】
図１２は、第３実施形態に係る導光板１の構成例を示す上面図である。図１３は、第３実施形態に係る導光板１の構成例を示す分解斜視図である。図１２及び図１３に示すように、第１導光板１１は、たとえばポリスチレンを用いて設けられた７つの第１導光部材１１１〜１１７で構成され、第２導光板１２は、たとえばアクリルを用いて設けられた７つの第２導光部材１２１〜１２７で構成されている。
【００８７】
ここで、ポリスチレンなどを用いて設けられた第１導光部材１１１に白色光を入射させた場合、色シフトが起こることがある。すなわち、第１導光部材１１１から放射される光が黄色化し、さらに、第１導光部材１１１から光が放射される位置が白色光の光源（すなわちＬＥＤ６１ａ）から遠ざかるにつれて、放射される光の色（たとえば黄色）が濃くなることがある。
【００８８】
そのため、本実施形態では、第２導光部材１２１〜１２７は、第１導光部材１１１〜１１７から放射される黄色光を補正するために、黄色の補色となる青色で色付けされている。すなわち、第２導光部材１２１〜１２７は、光が通過可能な程度に青色が色付けされた有色導光部材とされている。
【００８９】
また、第１導光部材１１１〜１１７から放射される光の黄色化の度合いは、光の放射位置がＬＥＤ６１ａから遠ざかるにつれて強くなる。そのため、ＬＥＤ６１ａから遠い第２導光部材１２１に色付けされた青色の濃度は、ＬＥＤ６１ａに近い第２導光部材１２１に色づけされた青色の濃度よりも濃く色付けされている。
【００９０】
すなわち、ＬＥＤ６１ａに最も近い第２導光部材１２７の青色の明度は、第２導光部材１２６の青色の明度よりも高く、７つの第２導光部材１２１〜１２７のうちで最も高い。或いは、第２導光部材１２７は色付けされていなくてもよい。そして、第２導光部材１２１〜１２７の青色の明度は、ＬＥＤ６１ａからの距離が遠くなるに従って低くなる。すなわち、第２導光部材１２６の青色の明度は第２導光部材１２７の青色の明度よりも低い。第２導光部材１２５の青色の明度は第２導光部材１２６の青色の明度よりも低い。第２導光部材１２４の青色の明度は第２導光部材１２５の青色の明度よりも低い。第２導光部材１２３の青色の明度は第２導光部材１２４の青色の明度よりも低い。第２導光部材１２２の青色の明度は第２導光部材１２３の青色の明度よりも低い。ＬＥＤ６１ａから最も遠い第２導光部材１２１の青色の明度は、第２導光部材１２２の青色の明度よりも低く、７つの第２導光部材１２１〜１２７のうちで最も低い。こうすれば、第２導光部材１２１〜１２７を補色（青色）で色付けすることによって、第１導光部材１１１〜１１７から放射される光の色シフトを軽減又は防止できる。従って、導光部材１２から放射される光の変色を抑制又は防止できる。
【００９１】
なお、第２導光部材１２１〜１２７を色付けする方法は、特に限定しない。たとえば、青色の顔料をアクリルに混練した複合材料を用いて第２導光部材１２１〜１２７を形成してもよい。或いは、第２導光部材１２１〜１２７のそれぞれに濃さが異なる青色透明フィルムを貼り付けてもよい。
【００９２】
なお、本実施形態では、第１導光部材１１１〜１１７で色シフトが発生するため、第２導光部材１２１〜１２７を補色で色付けされた有色導光部材で構成した。この例示に限定されず、第２導光部材１２１〜１２７で上述のような色シフトが発生する場合、第１導光部材１１１〜１１７をその補色で色付けされた有色導光部材で構成してもよいことはいうまでもない。
【００９３】
以上、第３実施形態について説明した。第３実施形態によれば、第２導光部材１２１〜１２７は、所定色（すなわち補色である青色）を有する導光部材で構成され、光放射面１２ａに垂直なＺ方向から見た平面視において、ＬＥＤ６１ａからの距離が遠くなるに従い、所定色の明度が低くなる。
【００９４】
この構成によれば、第１導光部材１１１〜１１７から放射される光に色シフトが発生しても、第２導光部材１２１〜１２７が所定色（たとえば色シフトを補正する補色）を有する導光部材で構成することによって、光の色シフトを軽減又は防止できる。従って、導光部材１２から放射される光の変色を抑制又は防止できる。
【００９５】
＜第４実施形態＞
次に、第４実施形態について説明する。第４実施形態では、Ｚ方向から見た平面視において、第１導光部材１１１〜１１３に設けられたドットパターン１３１の密度と、第２導光部材１２１〜１２３に設けられたドットパターン１３２の密度とを変化させる。これにより、第１導光部材１１１〜１１３及び第２導光部材１２１〜１２３の短手方向の端部Ｅ１、Ｅ２と重なる領域近傍から放射される光の輝度の低下を抑制している。以下では、第４実施形態について、第１〜第３実施形態と異なる事項について説明する。また、第１〜第３実施形態と同じ構成には同じ符号を付し、その説明を省略することがある。
【００９６】
図１４は、第４実施形態に係る導光板１の構成例を示す分解斜視図である。図１５Ａは、第４実施形態に係る第１導光板１１から放射される光の輝度分布の一例を示す上面図である。図１５Ｂは、第４実施形態に係る第２導光板１２から放射される光の輝度分布の一例を示す上面図である。なお、図１４に図示したドットパターン１３１、１３２の密度は図中の色の濃さに比例する。すなわち、ドットパターン１３１、１３２の密度が高い領域ほど濃い色で示し、密度が低い領域ほど薄い色で示している。一方、図１５Ａ及び図１５Ｂに図示した輝度分布では、輝度は図中の色の薄さに比例する。すなわち、輝度が高い領域ほど薄い色で示し、輝度が低い領域ほど濃い色で示している。また、図１５Ａの点線は、Ｚ方向から導光板１を見た平面視における第２導光部材１２１〜１２３の端部Ｅ２を示す。図１５Ｂの点線は、Ｚ方向から導光板１を見た平面視における第１導光部材１２１〜１２３の端部Ｅ１を示す。
【００９７】
図１４に示すように、第１導光板１１の背面１１ｃ（すなわち第１導光部材１１１〜１１３の背面）には、ドットパターン１３１が加工或いは印刷によって設けられている。また、第２導光板１２の背面１２ｃ（すなわち第２導光部材１２１〜１２３の背面）には、ドットパターン１３２が加工或いは印刷によって設けられている。これらのドットパターンは、入射光を拡散及び反射する複数の光拡散部（たとえば凸部）で構成される。第１導光部材１１１〜１１３に入射した光はドットパターン１３１で拡散及び反射され、光放射面１１ａから放射される。また、第２導光部材１２１〜１２３に入射した光はドットパターン１３２で拡散及び反射され、光放射面１１ａから放射される。
【００９８】
なお、図１４の例示に限定されず、第１導光板１１において、ドットパターン１３１は背面１１ｃ以外の表面に設けられてもよい。また、第２導光板１２において、ドットパターン１３２は背面１２ｃ以外の表面に設けられてもよい。たとえば、ドットパターン１３１は、第１導光板１１の光放射面１１ａ（すなわち各第１導光部材１１１〜１１３の前面）に設けられてもよいし、第１導光板１１の光放射面１１ａ及び背面１１ｃの両方に設けられてもよい。同様に、たとえば、ドットパターン１３２は、第２導光板１２の光放射面１２ａ（すなわち各第２導光部材１２１〜１２３の前面）に設けられてもよいし、第２導光板１２の光放射面１２ａ及び背面１２ｃの両方に設けられてもよい。このことは、後述する第５実施形態でも同様である。
【００９９】
第１導光板１１を複数の第１導光部材１１１で構成し且つ第２導光板１２を複数の第２導光部材１２１で構成した導光板１では、光放射面１２ａから放射される光の輝度分布に、格子状の暗線が発生し易い。具体的には、Ｚ方向から見た平面視において、光放射面１２ａから放射される光の輝度は、第１導光部材１１１〜１１３及び第２導光部材１２１〜１２３の各端部Ｅ１、Ｅ２と重なる領域近傍で暗くなり易い。そのため、本実施形態では、Ｚ方向から見た平面視において、第１導光部材１１１〜１１３に設けられたドットパターン１３１の密度はＹ方向において傾斜的に変化し、第２導光部材１２１〜１２３に設けられたドットパターン１３２の密度はＸ方向において傾斜的に変化する。
【０１００】
具体的には、図１４に示すように、第１導光部材１１１〜１１３のＹ方向におけるドットパターン１３１の密度は、Ｚ方向から見た平面視において、第２導光部材１２１〜１２３の端部Ｅ２から遠くなるに従って低くなる。従って、第１導光板１１に光を入射した場合に光放射面１１ａから放射される光の輝度は、図１５Ａに示すように、第２導光部材１２１〜１２３の端部Ｅ２と重なる領域から遠くなるに従って低くなる。そして、輝度は端部Ｅ２と重なる領域で最も高くなる。
【０１０１】
また、第２導光部材１２１〜１２３のＸ方向におけるドットパターン１３２の密度は、Ｚ方向から見た平面視において、第１導光部材１１１〜１１３の端部Ｅ１から遠くなるに従って低くなる。従って、第２導光板１２に光を入射した場合に光放射面１２ａから放射される光の輝度は、図１５Ｂに示すように、第１導光部材１１１〜１１３の端部Ｅ１と重なる領域から遠くなるに従って低くなる。そして、輝度は端部Ｅ１と重なる領域で最も高くなる。
【０１０２】
このように、ドットバターン１３１、１３２の密度を変化させることにより、暗線の発生を抑制又は防止して、導光板１の光放射面１２ａから放射される光の輝度分布を均一にすることができる。
【０１０３】
なお、本実施形態では、ドットパターン１３１、１３２の密度を傾斜的に変化させているが、ドットパターン１３１、１３２の密度変化はこれらの例示に限定されない。ドットパターン１３１、１３２の密度は不連続に変化してもよい。たとえば、ドットパターン１３１は、第２導光部材１２１〜１２３の端部Ｅ２と重なる領域の密度が端部Ｅ２と重ならない領域の密度よりも高くなるように設けられてもよい。また、ドットパターン１３２は、第１導光部材１１１〜１１３の端部Ｅ１と重なる領域の密度が端部Ｅ１と重ならない領域の密度よりも高くなるように設けられてもよい。
【０１０４】
以上、第４実施形態について説明した。第４実施形態によれば、第１導光部材１１１〜１１３及び第２導光部材１２１〜１２３にはドットパターン１３１、１３２（複数の光拡散部）がそれぞれ設けられる。光放射面１２ａに垂直なＺ方向から見た平面視において、第１導光部材１１１〜１１３に設けられたドットパターン１３１の密度は、第２導光部材１２１〜１２３のＹ方向における端部Ｅ２と重なる領域から遠くなるに従って低くなり、第２導光部材１２１〜１２３に設けられたドットパターン１３２の密度は、第１導光部材１１１〜１１３のＸ方向における端部Ｅ１と重なる領域から遠くなるに従って低くなり。
【０１０５】
この構成によれば、第１導光部材１１１〜１１３から放射される光の輝度は、光放射面１２ａに垂直なＺ方向から見た平面視において、第２導光部材１２１〜１２３のＹ方向における端部Ｅ２と重なる領域から遠くなるに従って低くなる。また、第２導光部材１２１〜１２３から放射される光の輝度は、光放射面１２ａに垂直なＺ方向から見た平面視において、第１導光部材１１１〜１１３のＸ方向における端部Ｅ１と重なる領域から遠くなるに従って低くなる。従って、第１導光部材１１１〜１１３のＸ方向における端部Ｅ１近傍から放射される光の輝度不足と、第２導光部材１２１〜１２３のＹ方向における端部Ｅ２近傍から放射される光の輝度不足とに起因する光放射面１２ａでの暗線の発生を軽減又は防止できる。従って、光放射面１２ａから放射される光の輝度分布をより均一にすることができる。
【０１０６】
＜第５実施形態＞
次に、第５実施形態について説明する。第５実施形態では、Ｚ方向から見た平面視において、第１導光部材１１１〜１１３に設けられたドットパターン１３１の密度と、第２導光部材１２１〜１２３に設けられたドットパターン１３２の密度とを第４実施形態とは異なる方法で変化させる。これにより、第１導光部材１１１〜１１３及び第２導光部材１２１〜１２３の短手方向の端部Ｅ１、Ｅ２の近傍領域から放射される光の輝度の低下を抑制している。以下では、第５実施形態について、第１〜第４実施形態と異なる事項について説明する。また、第１〜第４実施形態と同じ構成には同じ符号を付し、その説明を省略することがある。
【０１０７】
図１６は、第５実施形態に係る導光板１の構成例を示す分解斜視図である。図１７Ａは、第７実施形態に係る第１導光板１１から放射される光の輝度分布の一例を示す上面図である。図１７Ｂは、第５実施形態に係る第２導光板１２から放射される光の輝度分布の一例を示す上面図である。なお、図１６に図示したドットパターン１３１、１３２の密度は図中の色の濃さに比例する。すなわち、ドットパターン１３１、１３２の密度が高い領域ほど濃い色で示し、密度が低い領域ほど薄い色で示している。一方、図１７Ａ及び図１７Ｂに図示した輝度分布では、輝度は図中の色の薄さに比例する。すなわち、輝度が高い領域ほど薄い色で示し、輝度が低い領域ほど濃い色で示している。
【０１０８】
第１導光板１１を複数の第１導光部材１１１で構成し且つ第２導光板１２を複数の第２導光部材１２１で構成した導光板１では、第４実施形態でも説明したように、光放射面１２ａから放射される光の輝度分布に、格子状の暗線が発生し易い。具体的には、Ｚ方向から見た平面視において、第１導光板１１の光放射面１１ａから放射される光の輝度は、第１導光板１１１〜１１３の端部Ｅ１及びその近傍領域で暗くなり易い。また、第２導光板１２の光放射面１２ａから放射される光の輝度は、第２導光板１２１〜１２３の端部Ｅ２及びその近傍領域で暗くなり易い。そのため、Ｚ方向から見た平面視において、第１導光部材１１１〜１１３に設けられたドットパターン１３１の密度はＸ方向において傾斜的に変化する。同様に、Ｚ方向から見た平面視において、第２導光部材１２１〜１２３に設けられたドットパターン１３２の密度はＹ方向において傾斜的に変化する。
【０１０９】
具体的には、図１６に示すように、第１導光部材１１１〜１１３のＸ方向におけるドットパターン１３１の密度は、端部Ｅ１から遠くなるに従って低くなる。従って、第１導光板１１に光を入射した場合に光放射面１１ａから放射される光の輝度は、図１７Ａに示すように、端部Ｅ１から遠くなるに従って低くなる。
【０１１０】
また、第２導光部材１２１〜１２３のＹ方向におけるドットパターン１３２の密度は、端部Ｅ２に近いほど高く、端部Ｅ２から遠いほど低い。従って、第２導光板１２に光を入射した場合に光放射面１２ａから放射される光の輝度は、図１７Ｂに示すように、第１導光部材１１１〜１１３の端部Ｅ２から遠くなるに従って低くなる。
【０１１１】
このように、ドットバターン１３１、１３２の密度を変化させることにより、暗線の発生を抑制又は防止して、導光板１の光放射面１２ａから放射される光の輝度分布を均一にすることができる。
【０１１２】
なお、本実施形態では、ドットパターン１３１、１３２の密度を傾斜的に変化させているが、ドットパターン１３１、１３２の密度変化をこれらの例示に限定されない。ドットパターン１３１、１３２の密度は不連続に変化してもよい。たとえば、ドットパターン１３１は、第１導光部材１１１〜１１３の端部Ｅ１の近傍領域での密度が他の領域の密度よりも高くなるように設けられてもよい。また、ドットパターン１３２は、第２導光部材１２１〜１２３の端部Ｅ２の近傍領域での密度が他の領域の密度よりも高くなるように設けられてもよい。
【０１１３】
以上、第５実施形態について説明した。第５実施形態によれば、液晶表示装置１００では、第１導光部材１１１〜１１３及び第２導光部材１２１〜１２３にはドットパターン１３１、１３２（複数の光拡散部）がそれぞれ設けられる。第１導光部材１１１〜１１３に設けられたドットパターン１３１の密度は、第１導光部材１１１〜１１３のＸ方向における端部Ｅ１から遠くなるに従って低くなる。第２導光部材１２１〜１２３に設けられたドットパターン１３２の密度は、第２導光部材１２１〜１２３のＹ方向における端部Ｅ２から遠くなるに従って低くなる。
【０１１４】
この構成によれば、第１導光部材１１１〜１１３から放射される光の輝度は、第１導光部材１１１〜１１３のＸ方向における端部Ｅ１から遠くなるに従って低くなる。また、第２導光部材１２１〜１２３から放射される光の輝度は、第２導光部材１２１〜１２３のＹ方向における端部Ｅ２から遠くなるに従って低くなる。従って、第１導光部材１１１〜１１３のＸ方向における端部Ｅ１近傍から放射される光の輝度不足と、第２導光部材１２１〜１２３のＹ方向における端部Ｅ２近傍から放射される光の輝度不足とに起因する光放射面１２ａでの暗線の発生を軽減又は防止できる。従って、光放射面１２ａから放射される光の輝度分布をより均一にすることができる。
【０１１５】
以上、本発明の実施形態について説明した。なお、上述の実施形態は例示であり、その各構成要素や各処理の組み合わせに色々な変形が可能であり、本発明の範囲にあることは当業者に理解されるところである。
【０１１６】
たとえば、上述の第１〜第５実施形態では、第１導光板１１及び各第２導光板１２の各側面１１ｂ、１２ｂに対向配置する光源として、ＬＥＤ６１ａ、６１ｂを用いているが、本発明はこの例示に限定されない。対向配置する光源は、ＬＥＤ以外の発光体（半導体レーザ素子、有機ＥＬ素子、小型電球など）であってもよい。
【０１１７】
また、上述の第１〜第５実施形態では、エッジライト型のバックライトモジュールが用いられているが、本発明の適用範囲はこの例示に限定されない。本発明は、直下型のバックライトモジュールにも適用可能である。
【符号の説明】
【０１１８】
１００    液晶表示装置
１０１      バックライトモジュール
１            導光板
１１            第１導光板
１２            第２導光板
１１ａ、１２ａ  前面（光放射面）
１１ｂ、１２ｂ  側面
１１ｃ、１２ｃ  背面
１１１〜１１８      第１導光部材
１１１ａ、１１１ｂ    側面
１２１〜１２８      第２導光部材
１２１ａ、１２１ｂ    側面
１３１、１３２              ドットパターン
３          反射板
４          光拡散部材
５          フレーム
５１          フロントフレーム
５２          リアフレーム
６          光源部
６ａ、６ｂ    ＬＥＤユニット
６１ａ、６１ｂ  ＬＥＤ
６３ａ、６３ｂ  ヒートシンク
１０２      液晶表示パネル
１０２ａ      前面
１０３      回路ユニット
１０３ａ      メモリ
１０３ｂ      入出力Ｉ／Ｆ
１０３ｃ      コントローラ
１０３ｄ      ＬＥＤドライバＩＣ
１０３ｅ      電源供給部
１０４      スピーカ
１０５      キャビネット
１０５ａ      フロントキャビネット
１０５ｂ      リアキャビネット
Ｓ          表示画面
【図１】
2018077263.tif 000003
【図２】
2018077263.tif 000004
【図３】
2018077263.tif 000005
【図４】
2018077263.tif 000006
【図５】
2018077263.tif 000007
【図６Ａ】
2018077263.tif 000008
【図６Ｂ】
2018077263.tif 000009
【図６Ｃ】
2018077263.tif 000010
【図６Ｄ】
2018077263.tif 000011
【図６Ｅ】
2018077263.tif 000012
【図６Ｆ】
2018077263.tif 000013
【図６Ｇ】
2018077263.tif 000014
【図７】
2018077263.tif 000015
【図８】
2018077263.tif 000016
【図９】
2018077263.tif 000017
【図１０】
2018077263.tif 000018
【図１１】
2018077263.tif 000019
【図１２】
2018077263.tif 000020
【図１３】
2018077263.tif 000021
【図１４】
2018077263.tif 000022
【図１５Ａ】
2018077263.tif 000023
【図１５Ｂ】
2018077263.tif 000024
【図１６】
2018077263.tif 000025
【図１７Ａ】
2018077263.tif 000026
【図１７Ｂ】
2018077263.tif 000027